(57)【要約】【課題】  さまさまな、大きさの、従来のシャンプーやリンスの薬品や薬剤や洗剤や、その他の薬品容器や薬剤容器や洗剤容器や、とりだし容器や、工業用容器や産業用容器などや、その他の目的の容器などは、透明でないものがあり、容器の内容量や残量や中身のじょうたいや色などがわからないものがあった。【解決手段】  上記の不透明で中身のようすがわからない容器や、あまり透明でない容器などや、その他の不透明な容器の容器の部分に、さまざまな、おおきさや形の透明な部分をつくる。又、方法としても、利用や活用ができるようにした。【選択図】  図１
2005289504.tif 000002
【特許請求の範囲】
【請求項１】
頭を洗うときに使用する液状の薬剤や薬品や洗剤のシャンプーの容器と、シャンプーのとりだし容器と、容器のパッケージに透明な部分をつくり、液状の薬剤や薬品や洗剤の内容量や残量をわかるようにした。又、粉末状などの薬剤や薬品や洗剤のシャンプーでもわかるようにした。
【請求項２】
頭を洗うときに使用する液状の薬剤や薬品や洗剤のリンスの容器と、リンスのとりだし容器と、容器のパッケージに透明な部分をつくり、液状の薬剤や薬品や洗剤の内容量や残量をわかるようにした。又、粉末状などの薬剤や薬品や洗剤のリンスでもわかるようにした。
【請求項３】
手や顔や体などを洗うときに使用する液状や粉末状などやその他の洗剤や薬剤や洗剤などのはいった容器やとりだし容器やその他の容器や容器のパッケージに透明な部分をつくり、液状や粉末状などの薬剤や薬品や洗剤などの内容量の残量をわかるようにした。又、容器やその他の容器の中身の形や色やじょうたいを確認できるようにする。
【請求項４】
家庭用や工業用や商業用に利用されている液状や粒状などの薬品や洗剤や薬剤などの容器やその他の薬品や薬剤や洗剤やその他のものの散布器や散布機や散布容器やとりだし容器やその他の容器に透明な部分をつくり、液状などの薬剤や洗剤や薬品やその他のものなどの内容量や残量をわかるようにした。又、粉末状や粒状などの薬品や洗剤や薬剤やその他のものなどのものでもわかるようにした。又、安全性に配慮した、容器や散布器や散布機や散布容器やとりだし容器やその他などの容器に使用する。
【請求項５】
食品に利用される容器や取り出し容器やその他の容器についても内容量や残量が、わかるようにした、容器の中身の食品のじょうたいやいろや形が、わかるようにした。そして、食品については、美容用や化粧用や健康食品やその他の目的で生産されるものについてもふくめるようにして、ペット用の食品もふくむ。
【請求項６】
ペット用の飼育に利用される薬品や薬剤や洗剤などのはいった容器や取り出し容器や、散布器や散布機やその他の容器の、液状や粉末状などの薬剤や薬品や洗剤などの内容量や残量がわかるようにした。上記の家庭用や工業用や商業用について、ペット用品もふくむ。
【請求項７】
医療用に利用されている食品や薬品や薬剤や洗剤などについては、上記のような説明のなかに加えるようにする。したがって、容器や取り出し容器や散布器や散布機やその他の容器などは、目的や用途におうじて、透明な部分をつくり、医療用についても本発明を適用する。
【請求項８】
美容や化粧用に使用されている、液状や粉末状や粒状などの薬剤や薬品や洗剤などの容器や取り出し容器や散布器や散布機やその他の容器を上記のように容器に透明な部分をつくり本発明を適用する。
【請求項９】
上記の容器について、最大の目的は容器や取り出し容器や散布器や散布機やその他の容器などの中身の内容量や色などが、わからないものを、わかるようにした。すなわち、上記の不透明な容器や不透明のその他の容器やあまり透明でない容器やその他の容器の中身のようすをすばやく確実に知ることができるようにしたものです。又、特殊の目的のために実現をもとめるだけでなく、ひろく一般的な目的のための実現をもとめるものです。
【請求項１０】
上記についての、容器や取り出し容器や散布器や散布機やその他の容器の、大きさや色や形については、さまざまな、いろいろな、おおきさや色や形のものにできるようにする。
【発明の詳細な説明】
【技術分野】
【０００１】  本発明は、シャンプーやリンスの薬剤や薬品や洗剤などの容器や、その他の容器、すなわち家庭用や工業用や商業用や医療用や美容用や化粧用やペット用などや、そのほかの目的にもちいられるものに使用されている薬剤や洗剤や薬品などやその他のもののはいった容器や、とりだし容器や散布機や散布器やその他の容器に関する。
【背景技術】
【０００２】  従来の、シャンプーやリンスの薬剤や薬品や洗剤の容器や、その他の目的の容器、すなわち家庭用や工業用や商業用や医療用や美容用や化粧用やベット用などやそのほかの目的にもちいられるものに使用されている、液状や粉末状などの薬剤や洗剤や薬品などの、容器やとりだし容器や散布機や散布器やその他の容器ついて、不透明や全て透明や半透明のものなどがある。容器やその他の容器などの内容量や残量や中身のじょうたいや色がわからなかった。【０００３】  以下、図７図８図９図１０図１１図１２により従来の容器やとりだし容器や散布機や散布器やその他の容器を説明する。【０００４】
【特許文献１】
【非特許文献】
【発明の開示】
【発明が解決しようとする課題】
【０００５】  以上に述べた従来の液状や粉末状やその他のじょうたいのものなどの、薬剤や薬品や洗剤などのものについて、それらのはいった容器のことについてや、シャンプーやリンスの薬品や薬剤や洗剤などの容器についてや、その他のにたような容器や取り出し容器や散布器や散布機やその他の容器などについてのほか、上記の他に、家庭用や工業用や商業用や美容用や化粧用や食品用やペット用やそのほかの目的にもちいられる容器などで、薬品や薬剤や洗剤などのはいった容器やその他の容器やとりだし容器や散布機や散布器やその他の容器などについては、透明な部分がないものやあまり透明でないものがあり、内容量や残量の確認や中身のじょうたいや色の確認ができなかった。【０００６】  本発明は、このような従来の構成が有していた問題を解決しようとするものであり、シャンプーやリンスの薬剤や薬品や洗剤などの容器などや、家庭用や工業用や商業用や美容用や化粧用やペット用やその他のものや、そのほかの目的のもののための、薬剤や薬品や洗剤その他のものなどがはいった容器やとりだし容器や散布機や散布器やその他の容器の、内容量や残量や容器の中身のじょうたいや色などを確認ができるように実現することを目的とするものである。又、安全上の問題をないものとする。
【課題を解決するための手段】
【０００７】  そして、本発明は上記目的を達成するために上記の容器やとりだし容器や散布機や散布器やその他の容器に、一部に透明な部分をつくり、そこに目的や用途などにおうじた透明になった部分や透明になった部分を利用したデザインなどをできるようにして、内容量や残量を確認できるようにした。又、上記についての、容器や取り出し容器や散布器や散布機やその他の容器の中身やじょうたいや色もわかるようにした。そして、一部の透明な部分のおおきさや形については、目的や用途におおじて自由な位置につくれるようにして、さまざまなおおきさと、形にできるようにする。
【発明の効果】
【０００８】  上述のように本発明の容器やとりだし容器や散布機や散布器やその他の容器は、内容量の残量などを確認できるようになり、内容量や残量をどのくらいあるのかすぐわかるようになった。又、上記の容器やその他の容器の内容量や残量のじょうたいや色などがわかるようになった。そして、透明な部分がさまざまな、位置や大きさや形にできるところもあり、意匠的としても新たなものとなり新たに消費者の購入意欲をおこすこともできる。
【発明を実施するための最良の形態】
【０００９】  本発明は、シャンプーやリンスの薬品や薬剤や洗剤などでは、容器やとりだし容器などの内容量や残量を確認したり、じょうたいを確認しながら入浴をすることができるようにする。又、シャンプーやリンスの薬剤や薬品や洗剤などをお店などから購入するときなどに、その、容器や取り出し容器やその他の容器の中身のじょうたいや色などを確認をしたうえで購入をする。そして、その他の容器、すなわち、家庭用や工業用や商業用や医療用や美容用や化粧用やペット用やその他の目的のための、容器やとりだし容器や散布機や散布器やその他の容器などは、内容量のじょうたいや色などを確認したり、内容量の残量を確認をしたりできるようにする。又、購入したり使用をしたりすることに上記のようなことが、活用ができるようにする。又、上記の容器やその他の容器の中身の色がわかるようになるため、色彩を楽しみながら、使用することができるようにする。
【産業上の利用可能性】
【０００１０】  上述したように本発明のシャンプーやリンスの薬剤や薬品や洗剤などの容器や取り出し容器やその他の容器や、その他の目的や用途の容器やとりだし容器や散布器や散布機やその他の容器の内容量が、不透明やあまり透明でないものについて、部分的に透明になり内容量の残量や色がわかるようになったり、又、透明になった部分を利用してデザインとして利用できるようになったり中身のじょうたいや色などがわかるようになりあたらしく使いやすいものや、新しい感覚の容器やその他の容器のものが提供できるようになった。
【図面の簡単な説明】
【０００１１】
【図１】  本発明の実態形態を示すシャンプーなどの薬品や薬剤や洗剤などの容器の平面図
【図２】  本発明の実態形態を示すリンスなどの薬品や薬剤や洗剤の容器などの平面図
【図３】  上記につづき、本発明の家庭用や工業用や商業用などやその他の目的で使用される容器などの平面図
【図４】  上記につづき、本発明の家庭用や工業用や商業用などやその他の目的で使用される容器などの平面図
【図５】  上記につづき、本発明の家庭用や工業用や商業用などやその他の目的で使用される容器などの平面図
【図６】  上記につづき、本発明の家庭用や工業用や商業用などやその他の目的で使用される容器などの平面図
【図７】  従来のシャンプーなどの薬品や薬剤や洗剤の容器などの平面図
【図８】  従来のリンスなどの薬剤や薬品や洗剤の容器などの平面図
【図９】    従来の家庭用や工業用や商業用などやその他の容器などの平面図
【図１０】  従来の家庭用や工業用や商業用などやその他の容器などの平面図
【図１１】  従来の家庭用や工業用や商業用などやその他の容器などの平面図
【図１２】  従来の家庭用や工業用や商業用などやその他の容器などの平面図
【符号の説明】
【０００１２】  １    透明でない容器の部分
２    透明にした部分
３    透明でない容器の部分
４    透明にした部分
５    透明でない容器やその他の容器の部分
６    透明にした部分
７    透明でない容器やその他の容器の部分
８    透明にした部分
９    透明でない容器や散布器や散布機やその他の容器の部分
１０    透明にした部分
１１    透明でない容器やその他の容器の部分
１２    透明にした部分
１３    従来の容器の透明でない部分
１４    従来の容器の透明でない部分
１５    従来の容器の透明でない部分
１６    従来の容器の透明でない部分
１７    従来の容器の透明でない部分
１８    従来の容器の透明でない部分
【図１】
2005289504.tif 000003
【図２】
2005289504.tif 000004
【図３】
2005289504.tif 000005
【図４】
2005289504.tif 000006
【図５】
2005289504.tif 000007
【図６】
2005289504.tif 000008
【図７】
2005289504.tif 000009
【図８】
2005289504.tif 000010
【図９】
2005289504.tif 000011
【図１０】
2005289504.tif 000012
【図１１】
2005289504.tif 000013
【図１２】
2005289504.tif 000014